(57)【要約】【課題】抽出機を備えるカップ飲料自動販売機であって、抽出条件によって変化する抽出液自体の味覚を選択できるカップ飲料自動販売機を提供する。【解決手段】抽出機と、抽出機の制御パラメータと抽出液の味覚との相関データを記憶する第１記憶手段と、味覚選択手段と、味覚選択手段により選択された味覚と第１記憶手段に記憶された相関データに基づいて抽出機の作動を制御する制御手段とを備える。【選択図】  図１
2004355052.tif 000002
【特許請求の範囲】
【請求項１】
抽出機と、抽出機の制御パラメータと抽出液の味覚との相関データを記憶する第１記憶手段と、味覚選択手段と、味覚選択手段により選択された味覚と第１記憶手段に記憶された相関データとに基づいて抽出機の作動を制御する制御手段とを備えることを特徴とするカップ飲料自動販売機。
【請求項２】
標準味覚選択手段と、抽出機の制御パラメータと予め設定された標準味覚との相関データを記憶する第２記憶手段とを備え、制御手段は標準味覚選択手段により標準味覚が選択された場合には、第２記憶手段に記憶された相関データに基づいて抽出機の作動を制御することを特徴とする請求項１に記載のカップ飲料自動販売機。
【請求項３】
味覚選択手段により選択された味覚を表示する味覚表示手段を備えることを特徴とする請求項１又は２に記載のカップ飲料自動販売機。
【請求項４】
味覚表示手段は味覚選択手段であることを特徴とする請求項３に記載のカップ飲料自動販売機。
【請求項５】
ユーザー識別情報入力手段と、味覚選択手段を介してユーザーにより選択された味覚とユーザー識別情報との相関データを記憶する第３記憶手段とを備え、制御手段は、ユーザー識別情報入力手段から入力されたユーザー識別情報に基づいて第３記憶手段に記憶された相関データからユーザーが選択した味覚を抽出し、当該味覚が味覚選択手段を介してユーザーにより選択された味覚であると見做して、抽出機の作動を制御することを特徴とする請求項１乃至４の何れか１項に記載のカップ飲料自動販売機。
【請求項６】
第３記憶手段は可搬の記憶媒体であることを特徴とする請求項５に記載のカップ飲料自動販売機。
【請求項７】
第３記憶手段に記憶された相関データから抽出した味覚を選択するか、味覚選択手段で好みの味覚を選択するか、標準味覚選択手段で標準味覚を選択するかの三者択一をユーザーに催告する表示手段と、三者の何れかを選択する三者択一手段とを備えることを特徴とする請求項５又は６に記載のカップ飲料自動販売機。
【請求項８】
抽出機はコーヒー抽出機であることを特徴とする請求項１乃至７の何れか１項に記載のカップ飲料自動販売機。
【発明の詳細な説明】
【０００１】
【発明の属する技術分野】
本発明は、抽出機を備えるカップ飲料自動販売機に関するものである。
【０００２】
【従来の技術】
コーヒー抽出機を備えるカップコーヒー自動販売機が特許献１等に開示されている。
【０００３】
【特許文献１】特開昭６１−１９３２９４
【０００４】
【発明が解決しようとする課題】
従来のカップコーヒー自動販売機においては、砂糖やクリームの増減により甘味等の味付けは選択可能であったが、抽出条件によって変化する苦味、酸味、渋味等のコーヒー液自体の味覚は選択できなかった。
本発明は上記問題に鑑みてなされたものであり、抽出機を備えるカップ飲料自動販売機であって、抽出条件によって変化する抽出液自体の味覚を選択できるカップ飲料自動販売機を提供することを目的とする。
【０００５】
【課題を解決するための手段】
上記課題を解決するために、本発明においては、抽出機と、抽出機の制御パラメータと抽出液の味覚との相関データを記憶する第１記憶手段と、味覚選択手段と、味覚選択手段により選択された味覚と第１記憶手段に記憶された相関データとに基づいて抽出機の作動を制御する制御手段とを備えることを特徴とするカップ飲料自動販売機を提供する。
本発明に係る自動販売機においては、ユーザーは好みの抽出液自体の味覚を選択し、選択した味覚のカップ飲料を購入できる。
【０００６】
本発明の好ましい態様においては、カップ飲料自動販売機は、標準味覚選択手段と、抽出機の制御パラメータと予め設定された標準味覚との相関データを記憶する第２記憶手段とを備え、制御手段は標準味覚選択手段により標準味覚が選択された場合には、第２記憶手段に記憶された相関データに基づいて抽出機の作動を制御する。
標準味覚のカップ飲料を購入できれば、味覚設定の手間が省けて、便利である。
【０００７】
本発明の好ましい態様においては、カップ飲料自動販売機は、味覚選択手段により選択された味覚を表示する味覚表示手段を備える。
設定した味覚を確認できるので、便利である。
【０００８】
本発明の好ましい態様においては、味覚表示手段は味覚選択手段である。
部品点数が減り、カップ飲料自動販売機の前面パネルの部品配置がすっきりする。
【０００９】
本発明の好ましい態様においては、カップ飲料自動販売機は、ユーザー識別情報入力手段と、味覚選択手段を介してユーザーにより選択された味覚とユーザー識別情報との相関データを記憶する第３記憶手段とを備え、制御手段は、ユーザー識別情報入力手段から入力されたユーザー識別情報に基づいて第３記憶手段に記憶された相関データからユーザーが選択した味覚を抽出し、当該味覚が味覚選択手段を介してユーザーにより選択された味覚であると見做して、抽出機の作動を制御する。
ユーザー識別番号を入力すれば、マイレシピのカップ飲料を購入できるので、便利である。
【００１０】
本発明の好ましい態様においては、第３記憶手段は可搬の記憶媒体である。
可搬の記憶媒体である第３記憶手段を自動販売機の然るべき挿入口に挿入し、識別番号を入力すれば、マイレシピのカップ飲料を購入できるので、便利である。
【００１１】
本発明の好ましい態様においては、自動販売機は、第３記憶手段に記憶された相関データから抽出した味覚を選択するか、味覚選択手段で好みの味覚を選択するか、標準味覚設定手段で標準味覚を選択するかの三者択一をユーザーに催告する表示手段と、三者の何れかを選択する三者択一手段とを備える。
マイレシピのカップ飲料を購入するか、新たに味覚を設定し当該味覚のカップ飲料を購入するか、標準味覚のカップ飲料を購入するか選択できれば、便利である。
【００１２】
本発明の好ましい態様においては、抽出機はコーヒー抽出機である。
本発明に係るカップコーヒー自動販売機は、ユーザーの好みに合った味覚のコーヒーを提供することができる。
【００１３】
【発明の実施の形態】
本発明の実施例に係るカップコーヒー自動販売機を説明する。
本実施例に係るカップコーヒー自動販売機は、コーヒー抽出機と自動販売の為の諸装置と、コーヒー抽出機の作動と自動販売の為の諸装置の作動とを制御する制御装置とを有する本体を備えている。
本体の前面パネルには、図１に示す味付け選択パネルを兼ねたコーヒー抽出液味覚選択液晶パネル１が取り付けられている。コーヒー抽出液味覚選択液晶パネル１と制御装置とは双方向に通信可能に接続されている。コーヒー抽出液味覚選択液晶パネル１には、味付けである甘味、コーヒー抽出機の作動パラメータである蒸らし時間、湯圧に応じて変化するコーヒー抽出液自体の味覚である苦味、酸味、コク、香り、渋味、えぐみのレベル表示グラフ１ａと、コーヒー抽出機の作動パラメータである蒸らし時間、湯圧のレベル表示グラフ１ｂとが表示されている。コーヒー抽出液味覚選択液晶パネル１はタッチパネルを構成していおり、レベル表示グラフ１ａに触れた手を移動させて苦味、酸味、コク、香り、渋味、えぐみのレベルを段階的に選択可能であり、レベル表示グラフ１ｂに触れた手を移動させて蒸らし時間、湯圧のレベルを任意に選択可能である。コーヒー抽出機の作動パラメータとコーヒー抽出液の味覚レベルとの間に相関があるので、レベル表示グラフ１ａの表示が変化するとレベル表示グラフ１ｂの表示も連動して変化し、レベル表示グラフ１ｂの表示が変化するとレベル表示グラフ１ａの表示も連動して変化する。
制御装置のＲＡＭには、実験により求めたコーヒー抽出機の作動パラメータとコーヒー抽出液の味覚レベルとの間の相関データがコーヒー豆の種類毎に記憶されている。前記ＲＡＭにはコーヒー抽出機の作動パラメータと予め設定したコーヒー抽出液の標準味覚との間の相関データもコーヒー豆の種類毎に記憶されている。
【００１４】
本実施例に係るカップコーヒー自動販売機の作動を、図２のフローチャートを参照しつつ説明する。
ユーザーが図示しない金銭投入口に金銭を投入し、図示しないコーヒー豆選択釦を押して商品を選択すると（Ｓ１）、制御装置は、コーヒー抽出液味覚選択液晶パネル１に味付けと味覚とが選択可能である旨と、味覚選択ＹＥＳ／味覚選択ＮＯ／マイレシピ選択ＹＥＳとを表示する（Ｓ２）。
ユーザーが味覚選択ＮＯの表示に手を触れると（Ｓ３）、制御装置はユーザーが標準味覚を選択したと認識し、選択されたコーヒー豆に関するコーヒー抽出機の作動パラメータと予め設定したコーヒー抽出液の標準味覚との間の相関データをＲＡＭから読み出し、当該データに含まれる作動パラメータの数値でコーヒー抽出機を作動させて標準味覚のコーヒー液を抽出し（Ｓ１０）、標準味覚に対応する量の砂糖をコーヒー液に添加して、標準味覚のコーヒーをユーザーに提供する。
【００１５】
ユーザーが味覚選択ＹＥＳの表示に手を触れると（Ｓ３）、制御装置はコーヒー抽出液味覚選択液晶パネル１にレベル表示グラフ１ａ、１ｂと、ＯＫとを表示する（Ｓ４）。ユーザーがレベル表示グラフ１ａに手を触れ、手を移動させて味付けである甘味のレベルと、コーヒー抽出液の味覚のレベルとを選択すると（Ｓ５）、制御装置は手の動きに応じてレベル表示グラフ１ａを変化させて、選択された甘味レベルと味覚レベルとを表示すると共に、選択されたコーヒー豆に関するコーヒー抽出機の作動パラメータとコーヒー抽出液の味覚との間の相関データをＲＡＭから読み出し、ユーザーの手の動きに応じてレベル表示グラフ１ｂを変化させて、選択された味覚レベルに対応するコーヒー抽出機の作動パラメータレベルを表示する（Ｓ６）。
ユーザーがコーヒー抽出液味覚選択液晶パネル１上のＯＫの表示に手を触れると、制御装置は味付けと味覚とが確定したと認識し（Ｓ７）、当該味付けと味覚とを登録するか否かの質問と登録ＹＥＳ／登録ＮＯとをコーヒー抽出液味覚選択液晶パネル１に表示する。
【００１６】
ユーザーが登録ＮＯの表示に手を触れると、制御装置は選択されたコーヒー豆に関するコーヒー抽出機の作動パラメータとコーヒー抽出液の味覚との間の相関データをＲＡＭから読み出し、選択された味覚に対応する作動パラメータの数値でコーヒー抽出機を作動させて選択された味覚のコーヒー液を抽出し（Ｓ１０）、選択された甘味レベルに対応する量の砂糖をコーヒー液に添加し、選択された甘味と味覚のコーヒーをユーザーに提供する。
【００１７】
ユーザーが登録ＹＥＳの表示に手を触れると、制御装置は英数字のマトリクスをコーヒー抽出液味覚選択液晶パネル１に表示する。ユーザーが英数字のマトリクスに手を触れてユーザー識別番号を入力すると、制御装置はユーザー識別番号と選択された味付けと味覚とをＲＡＭに記憶させて、ユーザーのマイレシピを登録する（Ｓ９）。次いで制御装置は、選択されたコーヒー豆に関するコーヒー抽出機の作動パラメータとコーヒー抽出液の味覚との間の相関データをＲＡＭから読み出し、選択された味覚に対応する作動パラメータの数値でコーヒー抽出機を作動させて選択された味覚のコーヒー液を抽出し（Ｓ１０）、選択された味付けに対応する量の砂糖をコーヒー液に添加し、選択された甘味と味覚とを有するコーヒーをユーザーに提供する。
【００１８】
一度マイレシピを登録すると、次回からは、制御ステップＳ３においてマイレシピ選択ＹＥＳの表示に手を触れると、コーヒー抽出液味覚選択液晶パネル１に英数字マトリクスが表示され、ユーザー識別番号を入力すると、制御装置のＲＡＭからユーザー識別番号に対応する甘味と味覚のデータが読み出され、当該甘味と味覚とがユーザーが選択した甘味と味覚であるとみなされ、当該味覚データに対応するコーヒー抽出機の作動パラメータがＲＡＭから読み出され、当該パラメータに従ってコーヒー抽出機が作動してコーヒー液が抽出され（Ｓ１０）、前記甘味データに対応する量の砂糖がコーヒー液に添加され、マイレシピの甘味と味覚とを有するコーヒーが提供される。
【００１９】
本実施例に係るカップコーヒー自動販売機においては、ユーザーは好みのコーヒー抽出液自体の味覚を選択し、選択した味覚のカップ入りコーヒーを購入できる。
本実施例に係るカップコーヒー自動販売機においては、味覚選択が面倒な場合には、ユーザーは標準味覚のカップ入りコーヒーを購入できるので、味覚設定の手間が省けて、便利である。
本実施例に係るカップコーヒー自動販売機においては、選択された味覚が表示され、ユーザーは選択した味覚を確認できるので、便利である。
本実施例に係るカップコーヒー自動販売機においては、コーヒー抽出液味覚選択液晶パネル１が味覚表示手段と味覚選択手段とを兼ねるので、両者を別々に配設する場合に比べて部品点数が減り、前面パネルの部品配置がすっきりする。
本実施例に係るカップコーヒー自動販売機においては、マイレシピが登録済であれば、ユーザー識別番号を入力すれば、マイレシピの味付けと味覚とを有するカップ入りコーヒーを購入できるので、便利である。
本実施例に係るカップコーヒー自動販売機においては、マイレシピのカップ入りコーヒーを購入するか、新たに味覚を設定し当該味覚のカップ入りコーヒーを購入するか、標準味覚のカップ入りコーヒーを購入するか選択できるので、便利である。
【００２０】
ステップＳ９において、制御装置のＲＡＭにユーザー識別番号とマイレシピとを登録するのに代えて、ＩＣカード等の可搬の記憶媒体にユーザー識別番号とマイレシピとを登録しても良い。この場合には、然るべき挿入口に可搬の記憶媒体を挿入し、制御ステップＳ３においてマイレシピ選択ＹＥＳの表示に手を触れると、コーヒー抽出液味覚選択液晶パネル１に英数字マトリクスが表示され、ユーザー識別番号を入力すると、可搬の記憶媒体からユーザー識別番号と甘味と味覚のデータとが読み出され、入力されたユーザー識別番号と読み出したユーザー識別番号とが一致すると、読み出した甘味と味覚とがユーザーが選択した甘味と味覚であるとみなされ、当該味覚データに対応するコーヒー抽出機の作動パラメータが読み出され、当該パラメータに従ってコーヒー抽出機が作動してコーヒー液が抽出され（Ｓ１０）、前記甘味データに対応する量の砂糖がコーヒー液に添加され、マイレシピの甘味と味覚とを有するコーヒーが提供される。
ＩＣカード等の可搬の記憶媒体を自動販売機の然るべき挿入口に挿入し、識別番号を入力すれば、マイレシピの甘味と味覚とを有するカップ入りコーヒーを購入できるので、便利である。
【００２１】
本発明に係るカップ飲料自動販売機は、カップ入りコーヒーの販売のみならず、カップ入り紅茶、カップ入り日本茶等の自動販売機にも利用可能である。
【００２２】
【発明の効果】
本発明に係るカップ飲料自動販売機においては、ユーザーは好みの抽出液自体の味覚を選択し、選択した味覚のカップ飲料を購入できる。
【図面の簡単な説明】
【図１】本発明の実施例に係るカップ入りコーヒー自動販売機が備えるコーヒー抽出液味覚選択液晶パネルの正面図である。
【図２】本発明の実施例に係るカップ入りコーヒー自動販売機の作動のフローチャートである。
【符号の説明】
１  正面パネル
１ａ  苦味、酸味、コク、香り、渋味、えぐみのレベル表示グラフ
１ｂ  蒸らし時間、湯圧のレベル表示グラフ
【図１】
2004355052.tif 000003
【図２】
2004355052.tif 000004
【手続補正書】
【提出日】平成15年5月27日(2003.5.27)
【手続補正１】
【補正対象書類名】図面
【補正対象項目名】全図
【補正方法】変更
【補正の内容】
【図１】
2004355052.tif 000005
【図２】
2004355052.tif 000006